(57)【要約】  【課題】  ダンパ装置によって冷却室から冷蔵室へ供給される冷気を遮断するように構成したものがある。本発明は、ダンパ装置の電動機構として小出力の電動機を採用してもダンパ装置内での冷気遮断が十分に行えるようにして、冷気漏れによる冷蔵庫内の温度制御の不正確化を防止する。また小出力の電動機の採用によってダンパ装置の小型化を図り冷蔵庫内の狭い場所へのダンパ装置の組み込みを可能とする。  【解決手段】  電動機とこの電動機の回転軸の回転を減速して出力軸に伝達する複数の減速歯車とが一つのモータケースに収納され、このモータケース外に突出した出力軸によって構成された電動機構がダンパケースに取り付けられ、出力軸に連結した作動板によって冷気通路を開閉するものである。【選択図】  図５
2005241140.tif 000002
【特許請求の範囲】
【請求項１】
電動機構とこの電動機構によって冷気通路を開閉する作動板とこの作動板を取り囲んで
前記冷気通路の一部を構成する通路壁を備えたダンパ装置において、前記通路壁には前記
作動板が開閉する開口部を形成し、前記電動機構は、パルス駆動される直流式電動機とこ
の電動機の回転軸の回転を減速して出力軸に伝達する複数の減速歯車とが一つのモータケ
ースに収納され前記出力軸がこのモータケース外に突出した形態をなし、前記出力軸に前
記作動板が連結されたことを特徴とするダンパ装置。
【請求項２】
電動機とこの電動機の回転軸の回転を減速して出力軸に伝達する複数の減速歯車とが一
つのモータケースに収納され、前記出力軸が前記モータケース外に突出し、前記モータケ
ースの一部に形成した切り欠きを覆って端子部材が取り付けられた構成の電動機構が、冷
気通路の一部を構成する通路壁を備えたダンパケースの一側に取り付けられ、前記出力軸
に連結した作動板によって冷気通路を開閉することを特徴とするダンパ装置。
【請求項３】
電動機構とこの電動機構によって冷気通路を開閉する作動板とこの作動板を取り囲んで
前記冷気通路の一部を構成する通路壁を備えたダンパ装置において、前記通路壁には前記
作動板が開閉する開口部を形成し、前記作動板と前記開口部周縁には前記作動板が前記開
口部を閉じるとき相互に当接して前記開口部を閉塞する弾性部材をそれぞれ設けたことを
特徴とする請求項１又は２に記載のダンパ装置。
【発明の詳細な説明】
【技術分野】
【０００１】
本発明は、冷蔵庫の冷気供給通路を開閉するダンパ装置に関する。
【背景技術】
【０００２】
冷蔵室が上部に位置するように冷凍室と冷蔵室が区画壁にて区画され、前記冷凍室の後
部に設置した冷却器で冷却した冷気が送風機で前記冷凍室と冷蔵室へ循環するよう構成さ
れ、前記区画壁内には、前部と後部にそれぞれ別個の発泡スチロールなどの成形断熱材が
収納され、後部の成形断熱材には冷気を冷蔵室へ導く吐出通路が形成され、この吐出通路
内にはダンパ装置が収納された冷蔵庫がある（例えば、特許文献１参照）。
【０００３】
前記ダンパ装置は、上下面が開口した矩形状のケースと、このケース内に回転自在に設
けられたダンパと、このダンパを回転駆動するモータから構成されており、冷蔵室温度に
応じてケース内を流通する冷気量を調節するものである。また、区画壁は冷蔵庫本体の内
箱と一体に形成された構成であり、この区画壁内後部の成形断熱材は、前部の成形断熱材
に接続される水平部分と、冷蔵室へ導く吐出通路の後方に位置する縦部分とで形成され、
冷蔵庫本体の背面壁の中にこの縦部分が入り込んだ組み込み構造である。そして、吐出通
路内に収納されるダンパ装置のケースは、その上部開口周縁に外側に広がるフランジが形
成され、このフランジが吐出通路の上端周縁部に載置された構成である。
【特許文献１】特開平１０−１６０３２２号公報（第２頁〜第３頁、図１〜図４）
【発明の開示】
【発明が解決しようとする課題】
【０００４】
特許文献１のダンパ装置は、ダンパの周縁がケース内部のシール部に接触して冷却室か
ら冷蔵室へ供給される冷気を遮断するように構成されている。これにおいて、ダンパを回
転駆動するモータは、矩形状のケースの一側部に設けられた矩形状の筐体部に収納された
形態である。実際はモータのみでなくモータの回転を複数の歯車を介して減速回転する出
力軸にダンパが取り付けられる構成であるため、この筐体部には、これら複数の歯車とモ
ータが収納されるため、かなり大きな筐体部となる。
【０００５】
このため、ダンパ装置全体がかなり大きくなり、それによって冷蔵庫内の狭い場所への
ダンパ装置の組み込み構造が制限される。また、このようなダンパ装置を冷蔵庫に組み込
んだ場合は、冷蔵庫内でのダンパ装置の占める容積によって、冷蔵庫内の物品貯蔵内容積
が減少することにも繋がる。またダンパとケース部のシール部分との関係が不明であり、
ダンパを駆動する複数の歯車とモータを小型化できる技術については開示がない。
【０００６】
本発明は、このような点に鑑みて、小型化された電動機構の採用によってダンパ装置の
小型化を図り、それによって冷蔵庫内の狭い場所へのダンパ装置の組み込みを可能とする
ものである。また、小型化によって冷蔵庫内でのダンパ装置の占める容積を小さくして、
冷蔵庫内の物品貯蔵内容積を少しでも大きくできる構成とすることも可能とする。
【課題を解決するための手段】
【０００７】
第１の発明は、電動機構とこの電動機構によって冷気通路を開閉する作動板とこの作動
板を取り囲んで前記冷気通路の一部を構成する通路壁を備えたダンパ装置において、前記
通路壁には前記作動板が開閉する開口部を形成し、前記電動機構は、パルス駆動される直
流式電動機とこの電動機の回転軸の回転を減速して出力軸に伝達する複数の減速歯車とが
一つのモータケースに収納され前記出力軸がこのモータケース外に突出した形態をなし、
前記出力軸に前記作動板が連結されたことを特徴とする。
【０００８】
第２の発明は、電動機とこの電動機の回転軸の回転を減速して出力軸に伝達する複数の
減速歯車とが一つのモータケースに収納され、前記出力軸が前記モータケース外に突出し
、前記モータケースの一部に形成した切り欠きを覆って端子部材が取り付けられた構成の
電動機構が、冷気通路の一部を構成する通路壁を備えたダンパケースの一側に取り付けら
れ、前記出力軸に連結した作動板によって冷気通路を開閉することを特徴とする。
【０００９】
第３の発明は、第１又は第２の発明において、電動機構とこの電動機構によって冷気通
路を開閉する作動板とこの作動板を取り囲んで前記冷気通路の一部を構成する通路壁を備
えたダンパ装置において、前記通路壁には前記作動板が開閉する開口部を形成し、前記作
動板と前記開口部周縁には前記作動板が前記開口部を閉じるとき相互に当接して前記開口
部を閉塞する弾性部材をそれぞれ設けたことを特徴とする。
【発明の効果】
【００１０】
第１の発明は、電動機とこの電動機の回転軸の回転を減速して出力軸に伝達する複数の
減速歯車とが一つのモータケースに収納された形態を採用することにより、ダンパ装置の
小型化を図ることができ、それによって冷蔵庫内の狭い場所へのダンパ装置の組み込みが
し易くなり、構造設計の融通性が増し、種々の構造の冷蔵庫に適用できるものとなる。ま
た、小型化によって冷蔵庫内でのダンパ装置の占める容積が小さくなり、冷蔵庫内の物品
貯蔵内容積を少しでも大きくできる構成とすることも可能となる。
【００１１】
第２の発明は、モータケースの切り欠きを覆うように端子部材が取り付けられた電動機
構を採用することによって、ダンパ装置の小型化が一層図られるものとなる。
【００１２】
第３の発明は、第１又は第２の発明の効果に加えて、開口部の弾性部材と作動板の弾性
部材とが相互に押し圧し合って開口部の全周囲で冷気通路が閉じ、ダンパ装置内での冷気
遮断が十分に行えるため、小出力の電動機を採用したダンパ装置によって、冷気漏れによ
る冷蔵庫内の温度制御の不正確化を防止できる。
【発明を実施するための最良の形態】
【００１３】
本発明のダンパ装置は、作動板を駆動する電動機構が、電動機とこの電動機の回転軸の
回転を減速して出力軸に伝達する複数の減速歯車とが一つのモータケースに収納され、こ
のモータケース外に突出した出力軸に作動板が連結されたものであり、以下に本発明の実
施形態を記載する。
【実施例１】
【００１４】
次に、本発明の実施の形態について説明する。図１は本発明冷蔵庫の縦断側面図、図２
は本発明の冷蔵庫本体を正面から見た説明図、図３は本発明ダンパ装置の斜視図、図４は
本発明ダンパ装置を冷蔵庫に取り付けた部分の縦断側面図、図５は電動機構の内部を示し
た本発明ダンパ装置の取り付け状態図、図６は本発明ダンパ装置の電動機構の内部を示し
た減速歯車機構の配置状態図、図７は改良前のダンパ装置の斜視図、図８は図７のダンパ
装置を冷蔵庫に取り付けた部分の縦断側面図である。以下、実施例１について説明する。
【００１５】
実施例１に係る冷蔵庫１は、全面開口の本体２内を区画して複数の貯蔵室を形成し、こ
れら各貯蔵室の前面は扉で開閉できる構成である。冷蔵庫本体２は外箱（外壁板）２Ａと
内箱（内壁板）２Ｂとの間に発泡断熱材２Ｃを充填した断熱構造である。冷蔵庫本体２内
には、上から冷蔵室３、冷凍室５、野菜室４が区画されて設けられている。
【００１６】
冷蔵室３の前面開口は、冷蔵庫本体２の一側部にヒンジ装置にて横方向に回動する回動
式の冷蔵室扉１０にて開閉される。野菜室４の前面開口は、野菜室４内に設けた左右のレ
ールとローラによる支持装置１８によって前後方向へ引き出し可能に支持した野菜容器１
５と共に前方へ引き出される引き出し式扉１１にて閉塞されている。冷凍室５は扉１２に
て閉塞されているが、野菜室４と同様に、冷凍室内に設けた左右のレールに対して前後方
向へ引き出し可能に支持した容器１６を扉１２と共に前方へ引き出される引き出し式とす
る構成である。
【００１７】
２０は冷凍サイクルの冷媒の圧縮機、２１は冷凍サイクルの冷媒の凝縮器である。２２
は凝縮器２１の熱によって後述の除霜水を蒸発させるための蒸発皿であり、凝縮器２１上
に載置して冷蔵庫本体２の前面下部から引き出し自在である。圧縮機２０、凝縮器２１、
蒸発皿２２は、冷蔵庫本体２の下部に設けた機械室２３に設置されている。２４は冷凍室
５の背面部に形成した冷却器室２６に設置した冷媒の蒸発器（冷却器）である。２５は蒸
発器（冷却器）２４で冷却した冷気を冷凍室５、冷蔵室３、野菜室４へ循環する送風機で
ある。２７は蒸発器（冷却器）２４の除霜用ガラス管ヒータである。蒸発器（冷却器）２
４の除霜水は、排水管を通って蒸発皿２２へ導かれてそこで蒸発する。
【００１８】
上部に位置する冷蔵室３とその下部に位置する冷凍室５とは断熱仕切り壁２８にて区画
されており、断熱仕切り壁２８は、インジェクション成形の合成樹脂製上板２９とインジ
ェクション成形の合成樹脂製下板３０との間に、予め所定形状に成形された発泡スチロー
ル等の断熱材３１が挟持された断熱構造をなしている。このような断熱仕切り壁２８は、
冷蔵庫本体２の左右両側に内箱（内壁板）２Ｂに形成した前後方向の溝２Ｄに冷蔵庫本体
２の前面開口部から挿入されて取り付けられる構成である。断熱仕切り壁２８が取り付け
られた状態で、断熱仕切り壁２８の前面と溝２Ｄの前面を覆うように仕切り前板２８Ａが
外箱（外壁板）２Ａの左右両側に渡って取り付けられている。
【００１９】
冷蔵室３の背面側には上下方向の冷気供給通路３５が形成されている。３２は冷蔵室３
の背壁であり、合成樹脂製背面板３３とその裏側に取り付けた発泡スチロール等の断熱材
３４との組み合わせ構成である。冷蔵室３の背壁３２は、その断熱材３４の左右両側が冷
蔵庫本体２の背壁の内箱（内壁板）２Ｂに当接する状態に冷蔵庫本体２の背壁に並列に設
置され、この状態で断熱材３４に窪ませた上下方向に延びる冷気ダクト部３４Ａが冷気供
給通路３５を形成する。
【００２０】
断熱仕切り壁２８の後部には、断熱仕切り壁２８を上下に貫通した冷気供給通路３６が
形成され、冷気供給通路３６は、その下部が送風機２５から供給される冷気の導入部であ
り、上部が冷気供給通路３５に連通した配置である。冷気供給通路３６にはダンパ装置５
０が取り付けられており、ダンパ装置５０は、冷蔵室３の温度を感知するセンサの温度感
知に基づき制御回路部によって冷気供給通路３６を開閉する動作をする。このダンパ装置
５０の開閉動作によって、冷蔵室３は所定の温度に制御される。
【００２１】
蒸発器（冷却器）２４で冷却した冷気は送風機２５によって図１及び図２の矢印のよう
に循環する。即ち、送風機２５から送出される冷気は冷凍室５の背壁上部の冷気吹き出し
口３７から冷凍室５へ供給され、冷凍室５の背壁下部の冷気吸込み口３８から冷却器室２
６に帰還して再び蒸発器（冷却器）２４にて冷却される循環をする。また、送風機２５か
ら送出される冷気は、冷気供給通路３６を通って冷気供給通路３５へ供給され、冷気供給
通路３５の左右両側に形成した冷気通路３５Ａに分配されて冷蔵室３の背壁３２に形成し
た冷気吹き出し口３９から冷蔵室３へ供給される。
【００２２】
冷蔵室３へ供給された冷気は、冷蔵室３の背壁３２の一側下部に形成した冷気吸込み口
４０から吸い込まれて、冷凍室５の後方に形成した冷気通路４１を下方に流れて野菜室４
の後部に開口した冷気吹き出し口４２から野菜室４に吹き出す。野菜室４に吹き出した冷
気は、その大半の冷気によって野菜容器１５内の野菜等を間接的に冷却し、一部の冷気が
野菜容器１５内に侵入して野菜容器１５内の野菜等を直接冷却した後、野菜室４の上部又
は野菜室４の後部に開口した冷気吸込み口４３から冷却器室２６に帰還して再び蒸発器（
冷却器）２４にて冷却される循環をする。
【００２３】
ダンパ装置５０は、電動機構５１と、この電動機構５１によって回動作動される作動板
５２と、作動板５２によって開閉される開口部５４を形成したダンパケース５３とから構
成されている。電動機構５１は、直流式電動機５５と、この電動機５５の回転軸５６の回
転を減速して出力軸５７に伝達する複数の減速歯車機構５８とからなる。円筒状のモータ
ケース５９の内径は直流式電動機５５の外径と略同じであるため、モータケース５９内に
直流式電動機５５が嵌合状態に挿入され、仕切板６１で仕切られたモータケース５９内の
他側の室には減速歯車機構５８が組み込まれ、出力軸５７がモータケース５９の端板６０
とダンパケース５３を貫通してモータケース５９外に突出した形態をなす。この出力軸５
７の先端部は偏平形状をなしており、この出力軸５７の偏平形状部分に作動板５２の一端
部に形成した扁平形状の嵌合軸孔５２Ａが嵌まり合う構成である。これによって、電動機
５５の回転によって作動板５２が減速回動する。
【００２４】
減速歯車機構５８は、電動機５５の回転軸５６に取り付けた小径歯車６２が第１歯車６
３の大径歯部６３Ａに噛み合い、第１歯車６３の小径歯部６３Ｂに第２歯車６４の大径歯
部６４Ａが噛み合い、第２歯車６４の小径歯部６４Ｂに第３歯車６５の大径歯部６５Ａが
噛み合い、第３歯車６５の小径歯部６５Ｂに出力軸５７に取り付けた第４歯車６６が噛み
合う関係であり、これによって、電動機５５の回転軸５６の回転によって出力軸５７が減
速回転する。
【００２５】
モータケース５９には、電動機５５へ電力を供給するための合成樹脂製の端子部材６７
が取り付けられている。端子部材６７はモータケース５９の一部に形成した切り欠き７７
を覆うようにモータケース５９に取り付けられ、この端子部材６７の給電端子６８へ冷蔵
庫本体２に設けた制御回路部の制御によって、作動板５２を正方向回動させたり逆方向回
動させるために矩形パルスの電力が供給される。このようにモータケース５９の切り欠き
７７を覆うように端子部材６７が取り付けられた電動機構５１を採用することによって、
ダンパ装置５０の小型化が一層図られるものとなる。また電動機構５１は、モータケース
５９の一部分に形成した４ヶ所の取り付けフランジ６９をネジとナットの組み合わせから
なる取り付け部材７０によって、ダンパケース５３の側板５３Ｂに取り付けられている。
【００２６】
断熱仕切り壁２８の断熱材３１中の冷気供給通路３６の中間部には、上方に広がった段
部７４を形成している。断熱仕切り壁２８の上板２９は、冷気供給通路３６の上端部を取
り囲むように上方に立ち上がった壁７５を一体形成している。ダンパ装置５０は、段部７
４の上面に配置した弾性シール材７６を圧縮する状態にダンパケース５３が冷気供給通路
３６に嵌め込まれ、ダンパケース５３の側板５３Ｂの取り付け部５３Ｃをネジ等の固定手
段によって立ち上がり壁７５へ固定される。
【００２７】
ダンパケース５３は、断熱仕切り壁２８中の冷気供給通路３６の一部を構成する通路壁
５３Ａを備え、通路壁５３Ａには内方へ突出した四辺形状のフランジ７１が形成され、開
口部５４はこのフランジ７１で囲まれて形成されている。フランジ７１の上面には、この
四辺形状のフランジ７１に添った四辺形状の弾性部材７２が、接着にて取り付けられてい
る。
【００２８】
また、作動板５２の下側面には、この四辺形状の弾性部材７２の上面全周で当接して開
口部５４を塞ぐ大きさの弾性部材７３が接着にて取り付けられている。両弾性部材７２と
７３は、後述のように、作動板５２が閉じたとき相互に押し圧し合って開口部５４を確実
に塞ぐ配置関係である。
【００２９】
ダンパ装置５０は、冷蔵室３の温度を感知するセンサの温度感知に基づき制御回路部に
よって電動機構５１が作動して、開口部５４を作動板５２が開閉する。具体的には、冷蔵
室３の温度が所定の設定下限温度まで冷却されると、前記制御回路部によって電動機５５
へ正回転方向のパルス信号が供給されて、電動機５５は正回転して作動板５２が開口部５
４を閉じる方向へ回動する。この正回転によって作動板５３が開口部５４を閉じたとき、
両弾性部材７２と７３は、相互に押し圧し合って開口部５４の全周囲で冷気通路が閉じた
状態となる。このように作動板５２が開口部５４を閉じることによって、電動機５５の負
荷が急激に大きくなるため、電動機５５の負荷電流は急激に大きくなる。この負荷電流の
変化又は大きさを前記制御回路部によって検出して、電動機５５の回転を停止する。
【００３０】
また、冷蔵室３の温度が上昇したときには、前記制御回路部によって電動機５５へ逆回
転方向のパルス信号が供給されて、電動機５５は逆回転して作動板５２が開口部５４を開
く方向へ回動する。この逆回転によって作動板５３が開口部５４を所定位置まで開いたと
き、作動板５２がダンパケース５３のストッパ部に衝突して停止する。この停止によって
電動機５５の負荷が急激に大きくなり、電動機５５の負荷電流は急激に大きくなる。この
負荷電流の変化又は大きさを前記制御回路部によって検出して、電動機５５の回転を停止
する。
【００３１】
上記のように、電動機５５は、パルス信号によるステップ動作によって作動板５２を開
閉作動させるため、ステッピングモータとも称する。また、電動機５５の回転の停止制御
は、作動板５２の位置を光スイッチや機械的なスイッチ等で検出して制御する方法でもよ
い。また、作動板５２が閉じた位置又は開いた位置を検出するスイッチを設け、この検出
位置から電動機５５へ供給するパルス信号の数によって作動板５２の開閉を制御する方式
でもよい。
【００３２】
図７と図８には本発明の先行技術に係る構成を示している。これにおいて、上記と同様
の部分は同一符号を付している。これにおいて、ダンパ装置５００のダンパケース５３０
は、断熱仕切り壁２８中の冷気供給通路３６の一部を構成する通路壁には、内方へ突出し
た四辺形状のフランジ７１０が形成され、開口部５５０がこのフランジ７１０で囲まれて
形成されている。フランジ７１０の上面には、上方へ突出した突部７２０がこの四辺形状
のフランジ７１０に添った四辺形状に形成されている。
【００３３】
また、作動板５２０の下側面には、弾性部材７３０が接着にて取り付けられており、作
動板５２０が閉じたとき弾性部材７３０に四辺形状の突部７２０が食い込む形となって開
口部５５０が塞がれる構成である。また、ダンパ装置５００の電動機構５１０は、ダンパ
ケース５３０の一側に一体成形によって形成した縦長矩形状の筐体部５４０内に、直流電
動機と複数の減速歯車機構とが収納された形態である。筐体部５４０は、上記特許文献１
の特開平１０−１６０３２２号公報について記載した筐体部と略類似した形態であり、か
なり大きい。
【００３４】
このような構成において、作動板５２０が電動機構５１０によって開口部５５０を閉じ
たときには、弾性部材７３０に四辺形状の突部７２０が食い込むため、長期に亘る冷蔵庫
の使用において、作動板５２０が開いたときもこの食い込み形状が弾性部材７３０に残る
ようになり、次第にこの部分でのシール効果が低下する要因にもなる。これは、作動板５
２０が閉じた位置又は開いた位置を検出するスイッチを設け、この検出位置から直流電動
機へ供給するパルス信号の数によって作動板５２０の開閉を制御する方式では、シール効
果の低下を補うために制御パルスの数を変更するなどの調整が必要となるが、冷蔵庫の使
用者ではこれが困難となり、温度制御に不具合が生じたときには、冷蔵庫の故障と見られ
る虞も考えられる。
【００３５】
また、作動板５２０による開口部５５０の閉鎖を確実に行うために、出力の大きな電動
機の採用が必要となり、また小出力の電動機を採用すれば、減速歯車機構の歯車が多くな
ったり、大きくなったり等によって筐体部５４０が大きくなり、このために冷蔵庫へのダ
ンパ装置５００の組み込み部分の構造が制限され、冷蔵庫の設計の融通性が少なくなるこ
と、また、冷蔵庫へのダンパ装置５００の組み込み部分の容積が大きくなって、冷蔵室３
の有効利用容積が少なくなる等の問題が生じる。
【００３６】
しかし、本発明では、このような問題はなく、上記のように、開口部５４の弾性部材７
２と作動板５３の弾性部材７３とは、作動板５３が閉じたときに相互に押し圧し合って開
口部５４の全周囲で冷気通路が閉じるため、小出力の電動機５５の採用を可能とし小型化
した電動機構５１のダンパ装置５０によっても、ダンパ装置５０内での冷気遮断が十分に
行えることとなり、冷気漏れによる冷蔵庫内の温度制御の不正確化を防止できるものとな
る。弾性部材７２と弾性部材７３は、比較的柔軟性を有する状態にウレタン系合成樹脂等
の発泡性断熱材で構成することができる。
【００３７】
また、上記のような小型化した電動機構５１の採用によってダンパ装置５０の小型化を
図ることができ、それによって冷蔵庫内の狭い場所へのダンパ装置５０の組み込みが可能
となるため、構造設計の融通性が増し、種々の構造の冷蔵庫に適用できるものとなる。ま
た、小型化によって冷蔵庫内でのダンパ装置５０の占める容積を小さくして、冷蔵庫内の
物品貯蔵内容積を少しでも大きくできる構成とすることも可能となる。
【００３８】
また、ダンパ装置５０のダンパケース５３や作動板５２に多少の歪みが生じても、この
歪みによるシール不良を弾性部材７２と７３相互の弾力性によって吸収できるため、小型
化した電動機構５１によっても、作動板５２が閉じたときの冷気遮断が十分に行えるもの
となる。
【００３９】
また、上記のようにモータケース５９の切り欠き７７を覆うように端子部材６７が取り
付けられた電動機構５１を採用することによって、ダンパ装置５０の小型化が一層図られ
るものとなる。
【産業上の利用可能性】
【００４０】
上記のように、ダンパ装置の小型化を図ることができるため、冷蔵庫の形態は限定され
ず、本発明の技術的範囲を逸脱しない限り種々の変更が考えられ、それに係る種種の実施
形態を包含するものである。
【図面の簡単な説明】
【００４１】
【図１】本発明冷蔵庫の縦断側面図である。（実施例１）
【図２】本発明の冷蔵庫本体を正面から見た説明図である。（実施例１）
【図３】本発明ダンパ装置の斜視図である。（実施例１）
【図４】本発明ダンパ装置を冷蔵庫に取り付けた部分の縦断側面図である。（実施例１）
【図５】電動機構の内部を示した本発明ダンパ装置の取り付け状態図である。（実施例１）
【図６】本発明ダンパ装置の電動機構の内部を示した減速歯車機構の配置状態図である。（実施例１）
【図７】改良前のダンパ装置の斜視図である。
【図８】図７のダンパ装置を冷蔵庫に取り付けた部分の縦断側面図である。
【符号の説明】
【００４２】
１・・・冷蔵庫
２・・・冷蔵庫本体
３・・・冷蔵室
４・・・野菜室
５・・・冷凍室
２４・・冷却器
２５・・送風機
２８・・冷蔵室と冷凍室の断熱仕切り壁
３５・・冷気供給通路
３６・・断熱仕切り壁の冷気供給通路
５０・・ダンパ装置
５１・・電動機構
５２・・作動版
５３・・ダンパケース
５４・・開口部
５５・・直流電動機
５６・・直流電動機の回転軸
５７・・出力軸
５８・・減速歯車機構
５９・・モータケース
６７・・端子部材
７２・・弾性部材
７３・・弾性部材
【図１】
2005241140.tif 000003
【図２】
2005241140.tif 000004
【図３】
2005241140.tif 000005
【図４】
2005241140.tif 000006
【図５】
2005241140.tif 000007
【図６】
2005241140.tif 000008
【図７】
2005241140.tif 000009
【図８】
2005241140.tif 000010